(57)【特許請求の範囲】
【請求項１】
貯水部の底面に設けられた排水口から下方に延設され、側周面にオーバーフロー水を流入させる受入口を備えた排水口管と、
該排水口管の内周面に沿って上下にスライドし、前記受入口を開閉可能なシャッタと、
前記排水口を開閉自在な排水栓と、
前記シャッタに固定されるとともに前記排水口に向かって突出する突出部と、
前記シャッタを上方に付勢する付勢手段と、を備える排水器具であって、
前記排水栓が前記排水口を閉塞するとき、前記突出部が前記排水栓下面に押圧されて、前記シャッタを下方にスライドさせ、前記受入口を開放し、
前記排水栓が前記排水口を開放するとき、前記付勢手段が前記シャッタを上方にスライドさせ、前記受入口を閉塞することを特徴とする排水器具。
【請求項２】
貯水部の底面に設けられた排水口から下方に延設され、側周面にオーバーフロー水を流入させる受入口を備えた排水口管と、
該排水口管の内周面に沿って上下にスライドし、前記受入口を開閉可能なシャッタと、
前記排水口を開閉自在な排水栓と、
上端が前記排水栓の下面に固着されて前記排水栓を支持するとともに、下端が上下に動作可能な駆動装置に載置される軸部と、
前記軸部と前記シャッタとを連結する連結部と、を備える排水器具であって、
前記駆動装置により前記軸部が下方に移動したとき、前記排水栓が前記排水口を閉塞するとともに、前記シャッタが前記受入口を開放し、
前記駆動装置により前記軸部が上方に移動したとき、前記排水栓が前記排水口を開放するとともに、前記シャッタが前記受入口を閉塞することを特徴とする排水器具。
【請求項３】
貯水部の底面に設けられた排水口から下方に延設され、側周面にオーバーフロー水を流入させる受入口を備えた排水口管と、
該排水口管の内周面に沿って回転し、前記受入口を開閉可能なシャッタと、
前記排水口を開閉自在な排水栓と、
上端が前記排水栓の下面に固着されて前記排水栓を支持するとともに、中間部に上下運動を回転運動に変換する変換部を有し、下端が上下に動作可能な駆動装置に載置される軸部と、
前記変換部により変換された回転運動を前記シャッタに伝達する連結部と、を備える排水器具であって、
前記駆動装置により前記軸部が下方に移動したとき、前記排水栓が前記排水口を閉塞するとともに、前記シャッタがスライド回転して前記受入口を開放し、
前記駆動装置により前記軸部が上方に移動したとき、前記排水栓が前記排水口を開放するとともに、前記シャッタがスライド回転して前記受入口を閉塞することを特徴とする排水器具。
【請求項４】
前記連結部は、前記排水口から流入した排水の異物を濾し取る網状に形成されることを特徴とする請求項２又は請求項３に記載の排水器具。
【発明の詳細な説明】
【技術分野】
【０００１】
本発明は、貯水部底面に設けられた排水口に取り付けられる排水器具に関し、詳しくは、排水口から排水が流入するとともに、オーバーフロー口から排出されたオーバーフロー水を排水器内に導入して排出するようにした排水器具に関する。
【背景技術】
【０００２】
従来より、洗面台等における貯水部１００には、図８に示すように、底面に貯水部１００内の水を排出するための排水口１０１が備わるとともに、排水栓１０２等で排水口１０１が閉塞された場合に水が貯水部１００から溢れ出て床等を濡らすことを防止するために、貯水部１００の上部にオーバーフロー口１０３を開口している。排水口１０１には、排水器具１０５が設けられ、このオーバーフロー口１０３には屈曲管１０４の一端が固着されており、この屈曲管１０４を介して、排水口１０１から下方に延びる排水器具１０５に連通している（例えば、特許文献１、特許文献２）。
【０００３】
このように構成することで、図示しない蛇口を開放して貯水部１００を使用するときに、排水口１０１を開放している場合には、水道水を排水口１０１から排水して排水器具１０５を介して下水等へ排出することができ、排水口１０１を排水栓１０２で閉塞している場合には、貯水部１００内にオーバーフロー口１０３の水位まで水道水が貯まったときに、オーバーフロー口１０３から水道水を排出し、屈曲管１０４及び排水器具１０５を介して下水等へ排出することができる。
【特許文献１】特開２００１−２１４４８８
【特許文献２】特開２００６−６３５１５
【発明の開示】
【発明が解決しようとする課題】
【０００４】
しかし、上述のような構成では排水口１０１を開放して水道水を排水口１０１から排水する場合にも、オーバーフロー口１０３は開放されたまま排水器具１０５に連通しているので、排水口１０１から勢い良く排水が流出したときに、屈曲管内を通じて空気が排水の流速に基づいて発生する負圧に吸引されて排水器具１０５内に流れ込み、排水器具１０５内又は排水器具１０５と連結されている図外の排水管内でゴボゴボと不快音を発生させる問題がある。
【０００５】
そこで、本発明は排水口を開放して水道水を排水口から排水する場合に、不快音の発生を抑制することができる排水器具を提供することを目的とする。
【課題を解決するための手段】
【０００６】
上記の目的を達成するために、請求項１に記載の排水器具は、貯水部の底面に設けられた排水口から下方に延設され、側周面にオーバーフロー水を流入させる受入口を備えた排水口管と、該排水口管の内周面に沿って上下にスライドし、前記受入口を開閉可能なシャッタと、前記排水口を開閉自在な排水栓と、前記シャッタに固定されるとともに前記排水口に向かって突出する突出部と、前記シャッタを上方に付勢する付勢手段と、を備える排水器具であって、前記排水栓が前記排水口を閉塞するとき、前記突出部が前記排水栓下面に押圧されて、前記シャッタを下方にスライドさせ、前記受入口を開放し、前記排水栓が前記排水口を開放するとき、前記付勢手段が前記シャッタを上方にスライドさせ、前記受入口を閉塞することを特徴としている。
【０００７】
また、請求項２に記載の排水器具は、貯水部の底面に設けられた排水口から下方に延設され、側周面にオーバーフロー水を流入させる受入口を備えた排水口管と、該排水口管の内周面に沿って上下にスライドし、前記受入口を開閉可能なシャッタと、前記排水口を開閉自在な排水栓と、上端が前記排水栓の下面に固着されて前記排水栓を支持するとともに、下端が上下に動作可能な駆動装置に載置される軸部と、前記軸部と前記シャッタとを連結する連結部と、を備える排水器具であって、前記駆動装置により前記軸部が下方に移動したとき、前記排水栓が前記排水口を閉塞するとともに、前記シャッタが前記受入口を開放し、前記駆動装置により前記軸部が上方に移動したとき、前記排水栓が前記排水口を開放するとともに、前記シャッタが前記受入口を閉塞することを特徴としている。
【０００８】
なお、ここで「駆動装置」とは、遠隔操作式排水栓装置のように、蛇口付近に設けられた操作部の操作により排水栓を開閉動作させる装置における駆動装置であり、例えばスラストロック機構が用いられたものが挙げられる。
【０００９】
そして、請求項３に記載の排水器具は、貯水部の底面に設けられた排水口から下方に延設され、側周面にオーバーフロー水を流入させる受入口を備えた排水口管と、該排水口管の内周面に沿って回転し、前記受入口を開閉可能なシャッタと、前記排水口を開閉自在な排水栓と、上端が前記排水栓の下面に固着されて前記排水栓を支持するとともに、中間部に上下運動を回転運動に変換する変換部を有し、下端が上下に動作可能な駆動装置に載置される軸部と、前記変換部により変換された回転運動を前記シャッタに伝達する連結部と、を備える排水器具であって、前記駆動装置により前記軸部が下方に移動したとき、前記排水栓が前記排水口を閉塞するとともに、前記シャッタがスライド回転して前記受入口を開放し、前記駆動装置により前記軸部が上方に移動したとき、前記排水栓が前記排水口を開放するとともに、前記シャッタがスライド回転して前記受入口を閉塞することを特徴としている。なお、ここで「スライド回転」とは、軸部が上方あるいは下方へ移動しながらシャッタが回転することを意味する。
【００１０】
さらに、請求項４に記載の排水器具は、請求項２又は請求項３に記載の排水器具であって、前記連結部は、前記排水口から流入した排水の異物を濾し取る網状に形成されることを特徴としている。
【発明の効果】
【００１１】
請求項１に記載の排水器具によると、排水栓が排水口を閉塞するときには、シャッタに固定された突出部が排水栓下面に当接して押圧され、シャッタを下方にスライドさせて、オーバーフロー水を受け入れる受入口を開放するので、オーバーフロー水を排水口管に流入させ下水等に排出することができる。一方、排水口を開放するときには、付勢手段がシャッタを上方にスライドさせて受入口を閉塞する。したがって、オーバーフロー水の流路と排水口管とは連通されないので、排水口から排水が流下しても、オーバーフロー水の流路内の空気が排水に巻き込まれて不快音が発生することを抑止することができる。
【００１２】
請求項２に記載の排水器具によると、駆動装置により軸部が下方に移動したとき、排水栓が排水口を閉塞するとともにシャッタが受入口を開放するので、オーバーフロー水を排水口管に流入させ、下水等に排水することができる。一方、駆動装置により軸部が上方に移動したとき、排水栓が排水口を開放するとともに、シャッタが受入口を閉塞するので、オーバーフロー水の流路と排水口管とが連通せず、排水口から排水が流下しても、オーバーフロー水の流路内の空気が排水に巻き込まれて不快音が発生することを抑止することができる。
【００１３】
請求項３に記載の排水器具によると、駆動装置により軸部が下方に移動したとき、排水栓が排水口を閉塞するとともに、シャッタがスライド回転して受入口を開放するので、オーバーフロー水を排水口管に流入させ下水等に排出することができる。一方、駆動装置により軸部が上方に移動したとき、排水栓が排水口を開放するとともに、シャッタがスライド回転して受入口を閉塞するので、オーバーフロー水の流路と排水口管とが連通せず、排水口から排水が流下しても、オーバーフロー水の流路内の空気が排水に巻き込まれて不快音が発生することを抑止することができる。また、請求項３の排水器具によると、シャッタは回転するだけで受入口を開閉することができるので、シャッタが上下にスライドして受入口を開閉する場合に比べて排水器具の上下方向の長さを短くすることができる。したがって、排水器具の設置スペースを減らすことができ、スペースを収納ボックスなどに有効に利用することができる。
【００１４】
請求項４に記載の排水器具によると、軸部とシャッタとを連結する連結部が、排水口から流入した排水の異物を濾し取る網状に形成されるので、異物が例えば排水トラップに詰まることがない。すなわち連結部が、軸部とシャッタとを連結する役割のほかに、所謂目皿としての役割も果たす。このように、連結部が２つの役割を果たすことで部品点数を削減することができ、製造コスト及び設置コストを抑制することができる。
【発明を実施するための最良の形態】
【００１５】
〔第１の実施形態〕
以下、本発明の第１の実施形態について、図１及び図２を参照しつつ説明する。
【００１６】
第１の実施形態の排水器具１０は、上部に排水口１１を形成した円筒の排水口管１２、排水口管１２の内周面に沿って上下にスライド可能なシャッタ１３、シャッタ１３に固定されるとともに排水口１１に向かって突出する突出部１４、シャッタ１３に下方から当接してシャッタ１３を上方に付勢する付勢手段としてのバネ１６、排水口管１２の内周面に環状に設けられた突条１７に載置されるバネ止リング１８と、排水口１１を閉塞する排水栓１９と、により構成されている。
【００１７】
排水口管１２の上部は、外周側にやや広がって排水口１１を形成しており、貯水部２０の底面に設けられた開口に嵌合して固定される。この排水口管１２の側面２箇所には、貯水部２０の側面に開いた図示しないオーバーフロー口から排出されたオーバーフロー水を受け入れる受入口２１が設けられている。この受入口２１の外周には環状のオーバーフロー水導入部２２が水密性を保って外装されており、オーバーフロー口と受入口２１とは、このオーバーフロー水導入部２２の側面から延びる連結管２３及び屈曲管２４により構成されるオーバーフロー流路２５を介して、連通している。
【００１８】
シャッタ１３は、排水口管１２の内周面と同一径の外周面を有し、受入口２１の高さよりもやや大きく形成された円筒であり、このシャッタ１３上部には突出部１４が固定されている。また、シャッタ１３はバネ１６の上端に載置されている。突条１７は排水口管１２内周面の受入口２１の下方位置に設けられており、この突条１７の上にバネ止リング１８を載置して、更にその上にバネ１６を載置したときに、バネ１６の上端が、受入口２１の下端とほぼ同じ高さになるように形成されている。
【００１９】
排水栓１９を排水口１１から離して排水口１１を開放したときには、図１に示すように、シャッタ１３を載置させた状態でバネ１６が伸びるので、シャッタ１３は受入口２１を覆い、受入口２１は閉塞される。一方、排水栓１９を排水口１１に嵌合させて排水口１１を閉塞するときには、図２に示すように、排水栓１９の下面に突出部１４が当接して押圧され、突出部１４及び突出部１４が固定されているシャッタ１３に下方向きの圧力が加わる。そして、シャッタ１３に加わった下向きの圧力によりバネ１６が縮んで、突出部１４及び突出部１４が固定されているシャッタ１３が下方に移動し、排水栓１９が排水口１１に嵌合して固定されることで、シャッタ１３も下方位置に固定される。このときシャッタ１３の位置は、受入口２１の下端よりもやや低くなるので、受入口２１はシャッタ１３に覆われず開放される。
【００２０】
以上のように、本実施形態の排水器具１０を用いると、排水口１１から排水栓１９を外したときにはシャッタ１３により受入口２１は閉塞され、排水口１１に排水栓１９を嵌合させたときには受入口２１は開放される。したがって、排水口１１を排水栓１９で閉塞したときには、オーバーフロー流路２５は排水口管１２と連通するので、図示しないオーバーフロー口から溢れ出たオーバーフロー水は、排水口管１２を通って下水に排水される。一方、排水口１１を開放したときには、オーバーフロー流路２５と排水口管１２とは連通しないので、排水口１１から排水口管１２に排水が流下したときに、オーバーフロー流路２５内の空気が排水に巻き込まれて排水口管１２に流れ込むことはない。したがって、オーバーフロー流路２５内の空気が排水に巻き込まれて不快音を発生させることがない。
【００２１】
〔第２の実施形態〕
次に、本発明の第２の実施形態について、図３及び図４を参照しつつ説明する。なお、第１の実施形態と同一の構成は同一の符号を付して説明を省略する。
【００２２】
第２の実施形態の排水器具３０は、例えば図示しない蛇口付近に設置した操作部３１を操作することにより、排水口１１を開閉することができる遠隔操作式排水栓３２を用いる場合に適用するものである。排水器具３０は、排水口１１を上端に形成した排水口管１２、排水管１２の内周面に沿って上下にスライド自在な円筒状のシャッタ１３、排水口１１に嵌合する遠隔操作用排水栓３２、遠隔操作用排水栓３２の下面に一端が固定されて下方に延びる軸部３３、軸部３３とシャッタ１３とを連結する連結部３４、及び軸部３３の下端に形成された当接部３５、により構成されている。
【００２３】
そして当接部３５は、スラストロック機構により上下に移動可能なスラストロック装置３６の上下動部材３７に載置されている。このスラストロック装置３６はレリースワイヤ３８により操作部３１に連結されており、操作部３１を押下するとレリースワイヤ３７を介してスラストロック装置３６に伝わり、上下動部材３７が上下に動作する。
【００２４】
図３に示すように、遠隔操作式排水栓３２が上方に押し上げられて排水口１１が開放されているときに操作部３１が押下されると、レリースワイヤ３８を介してスラストロック装置３６に動作が伝わり、上方位置に保持されていた上下動部材３７が下方位置移動する。そして、上下動部材に載置されている当接部３５及び軸部３３も上下動部材３７の動きに従って下方に移動する。さらに、軸部３３の上端に固定されている遠隔操作式排水栓３２も下方に移動して排水口１１を閉塞する。軸部３３は連結部３４によりシャッタ１３とも連結されているので、軸部３３の移動に従って、シャッタ１３も下方に移動し受入口２１を開放する（図４の状態となる）。
【００２５】
一方、図４に示すように、遠隔操作式排水栓３２が排水口１１に嵌合して、排水口１１が閉塞されているときに操作部３１が押下されると、レリースワイヤ３８を介してスラストロック装置３６に動作が伝わり、下方位置に保持されていた上下動部材３７が上方位置に移動する。そして、これに従って、当接部３５、軸部３３、遠隔操作式排水栓３２、及びシャッタ１３も同様に上方に移動する。したがって、遠隔操作式排水栓３２が排水口１１から離れるので排水口１１は開放される。また、シャッタ１３は、受入口２１を覆う位置に移動するので、受入口２１は閉塞される（図３の状態となる）。
【００２６】
以上のように、本実施形態の排水器具３０を用いると、遠隔操作式排水栓３２により排水口１１を開閉する場合にも、排水口１１が開放されたときにはシャッタ１３により受入口２１は閉塞され、排水口１１が閉塞されたときには受入口２１は開放される。したがって、排水口１１を遠隔操作式排水栓３２により閉塞したときには、オーバーフロー流路２５は排水口管１２と連通するので、図示しないオーバーフロー口から溢れ出たオーバーフロー水は、排水口管１２を通って下水に排水される。一方、排水口１１を開放したときには、オーバーフロー流路２５と排水口管１２とは連通しないので、排水口１１から排水口管１２に排水が流下したときに、オーバーフロー流路２５内の空気が排水に巻き込まれて排水口管１２に流れ込むことはない。したがって、オーバーフロー流路２５内の空気が排水に巻き込まれて不快音を発生させることがない。
【００２７】
〔第３の実施形態〕
次に、本発明の第３の実施形態について、図５から図７を参照しつつ説明する。なお、第１の実施形態又は第２の実施形態と同一の構成は同一の符号を付して説明を省略する。
【００２８】
第３の実施形態の排水器具４０は、第２の実施形態と同様に遠隔操作式排水栓３２を用いる場合に適用するものである。排水器具４０は、排水口１１を上端に形成した排水口管１２、排水口１１に嵌合する遠隔操作用排水栓３２、遠隔操作用排水栓３２の下面に一端が固定されて下方に延びる中間にネジ山４１が形成された軸部４２、軸部４２を軸として排水管１２の内周面に沿って回転自在なシャッタ４３、軸部４２とシャッタ４３とを連結し、排水口から流入する毛髪などの異物を濾し取る目皿４４、及び軸部４２の下端に形成された当接部３５、により構成されている。
【００２９】
シャッタ４３は、排水口管１２の内周面と同一径の外周面を有し、受入口２１の高さよりもやや大きく形成された円筒であり、その側面の対面する２箇所には、受入口２１よりも大きな開口部４５が開口している。また、当接部３５は、第２の実施形態の排水器具３０と同様に、スラストロック装置３６の上下動部材３７に載置されており、操作部３１の押下操作により上下動可能となっている。
【００３０】
そして、目皿４４の中心には、ネジ山４１に螺合するネジ孔４６が貫通している。軸部４２の上下動によりネジ山４１が上下に動くときに、ネジ孔４６はこのネジ山４１に対してスライドして、ネジ山４１の上下動を軸部４２を軸とする回転トルクに変換する。
【００３１】
なお、本発明の「変換部」は、本実施形態においては、ネジ山４１及びネジ孔４６がこれに相当するが、これに限定されるものではなく、直線運動を回転運動に変換できる種々の機構を用いることができる。
【００３２】
図６に示すように、遠隔操作式排水栓３２が上方に押し上げられて排水口１１が開放されているときに操作部３１が押下されると、レリースワイヤ３８を介してスラストロック装置３６に動作が伝わり、上方位置に保持されていた上下動部材３７が下方位置移動する。そして、これに従って、当接部３５、軸部４２、及び遠隔操作式排水栓３２も下方に移動して、遠隔操作式排水栓３２が排水口１１を閉塞する。このとき軸部４２の中間に設けられたネジ山４１も下方に移動する。そして、ネジ山４１に螺合するネジ孔４６は例えば反時計回りに回転する。
【００３３】
ネジ山４１及びネジ孔４６により変換された回転トルクは、目皿４４を介してシャッタ４３に伝わる。そしてシャッタ４３は開口部４５が受入口２１と整合する位置まで回転する。したがって、受入口２１は開口部４５によって開放される（図７の状態となる）。
【００３４】
図７に示すように、遠隔操作式排水栓３２が排水口１１に嵌合して、排水口１１が閉塞されているときに操作部３１が押下されると、レリースワイヤ３８を介してスラストロック装置３６に動作が伝わり、下方位置に保持されていた上下動部材３７が上方位置移動する。そして、これに従って、当接部３５、軸部４２、及び遠隔操作式排水栓３２も上方に移動して、遠隔操作式排水栓３２が離れて排水口１１が開放される。このとき軸部４２の中間に設けられたネジ山４１も上方に移動し、ネジ山４１に螺合するネジ孔４６は例えば時計回りに回転する。
【００３５】
ネジ山４１及びネジ穴４６により変換された回転トルクは、目皿４４を介してシャッタ４３に伝わる。そして開口部４５と受入口２１との位置がずらされて、シャッタ４３は受入口２１を閉塞する（図６の状態となる）。
【００３６】
なお、本実施形態のシャッタ４３は円筒形状であって側面に開口部４５を有する構成であるが、これに限られるのもではなく、例えば２枚のアーチ上のシャッタが目皿４４により連結されるものであっても良い。
【００３７】
以上のように、本実施形態の排水器具４０を用いると、遠隔操作式排水栓３２により排水口１１を開閉する場合にも、排水口１１が開放されたときにはシャッタ４３により受入口２１は閉塞され、排水口１１が閉塞されたときには受入口２１は開放される。したがって、排水口１１を遠隔操作式排水栓３２により閉塞したときには、オーバーフロー流路２５は排水口管１２と連通するので、図示しないオーバーフロー口から溢れ出たオーバーフロー水は、排水口管１２を通って下水に排水される。一方、排水口１１を開放したときには、オーバーフロー流路２５と排水口管１２とは連通しないので、排水口１１から排水口管１２に排水が流下したときに、オーバーフロー流路２５内の空気が排水に巻き込まれて排水口管１２に流れ込むことはない。したがって、オーバーフロー流路２５内の空気が排水に巻き込まれて不快音を発生させることがない。
【００３８】
また、本実施形態の排水器具４０は、排水口から流入する毛髪などの異物を濾し取る目皿４４が、軸部４２とシャッタ４３とを連結する役割も果たす。このように目皿４４が２つの役割を果たすことで、部品点数を減少させることができ、製造作業及び設置作業を簡略化することができる。また、このような網状の目皿４４を、第２の実施形態である排水器具３０に適用しても良い。
【００３９】
なお、上述の第１の実施形態、第２の実施形態、及び第３の実施形態は一例であり、実施の形態は、上述の形態に限ることなく、本発明の思想の範囲を逸脱しない範囲で適宜変更することができる。
【産業上の利用可能性】
【００４０】
本発明の排水器具は、例えば貯水部底面に設けられた排水口に取り付けられる排水器具であって、排水口から排水が流入するとともに、オーバーフロー口から排出されたオーバーフロー水を排水器内に導入して排出するようにした排水器具に好適に適用することができる。
【図面の簡単な説明】
【００４１】
【図１】第１の実施形態の排水器具の排水口が開放された状態を示す断面図である。
【図２】第１の実施形態の排水器具の排水口が閉塞された状態を示す断面図である。
【図３】第２の実施形態の排水器具の排水口が開放された状態を示す断面図である。
【図４】第２の実施形態の排水器具の排水口が閉塞された状態を示す断面図である。
【図５】第３の実施形態の排水器具の排水栓、シャッタ、軸部、及び当接部を示す斜視図である。
【図６】第３の実施形態の排水器具の排水口が開放された状態を示す断面図である。
【図７】第３の実施形態の排水器具の排水口が閉塞された状態を示す断面図である。
【図８】従来の貯水部におけるオーバーフロー構造を示す一部省略断面図である。
【符号の説明】
【００４２】
１０  排水器具
１１  排水口
１２  排水口管
１３  シャッタ
１４  突出部
１６  バネ（付勢手段）
１９  排水栓
２１  受入口
３０  排水器具
３２  遠隔操作式排水栓
３３  軸部
３４  連結部
３６  スラストロック装置（駆動装置）
４１  ネジ山（変換部）
４２  軸
４３  シャッタ
４４  目皿（連結部）
４６  ネジ孔（変換部）
【図１】
0005067616.tif 000002
【図２】
0005067616.tif 000003
【図３】
0005067616.tif 000004
【図４】
0005067616.tif 000005
【図５】
0005067616.tif 000006
【図６】
0005067616.tif 000007
【図７】
0005067616.tif 000008
【図８】
0005067616.tif 000009